Podtech/llm-jp-corpus-v4-ja_patent huggingface dataset:
【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
遊技盤に形成された遊技領域に向かって遊技球を発射する発射手段と、
前記遊技領域を流下する遊技球が入球可能であり、遊技球の入球に基づいて内部抽選を実行する契機となる始動入球手段と、
前記内部抽選が実行されることに基づいて、遊技者にとって有利な特定制御状態に遊技状態を移行する遊技状態移行手段と、を備える遊技機であって、
前記遊技機は、
第１次の利益を遊技者に付与する第１次の入球領域に遊技球を入球可能とする第１次の流路と、
前記第１次の利益よりも小さな第２次の利益を遊技者に付与する第２次の入球領域に遊技球を入球可能とする第２次の流路と、
前記第２次の利益よりも小さな第３次の利益を遊技者に付与する第３次の入球領域に遊技球を入球可能とする第３次の流路と、
前記第１次の流路および前記第２次の流路の双方に遊技球を流下可能とし、前記第１次の流路および前記第２次の流路のいずれか一方に遊技球を振り分けて流下可能とする作動状態、および前記第３次の流路に遊技球を流下可能とし、前記第１次の流路および前記第２次の流路に遊技球を流下不能とする非作動状態を有し、所定の作動条件の成立に基づいて、前記非作動状態から前記作動状態となる作動部材とを備えることを特徴とする遊技機。
【手続補正２】
【補正対象書類名】明細書
【補正対象項目名】０００６
【補正方法】変更
【補正の内容】
【０００６】
本発明の遊技機は、遊技盤に形成された遊技領域に向かって遊技球を発射する発射手段と、遊技領域を流下する遊技球が入球可能であり、遊技球の入球に基づいて内部抽選を実行する契機となる始動入球手段と、内部抽選が実行されることに基づいて、遊技者にとって有利な特定制御状態に遊技状態を移行する遊技状態移行手段と、を備える遊技機であって、遊技機は、第１次の利益を遊技者に付与する第１次の入球領域に遊技球を入球可能とする第１次の流路と、第１次の利益よりも小さな第２次の利益を遊技者に付与する第２次の入球領域に遊技球を入球可能とする第２次の流路と、第２次の利益よりも小さな第３次の利益を遊技者に付与する第３次の入球領域に遊技球を入球可能とする第３次の流路と、第１次の流路および第２次の流路の双方に遊技球を流下可能とし、第１次の流路および第２次の流路のいずれか一方に遊技球を振り分けて流下可能とする作動状態、および第３次の流路に遊技球を流下可能とし、第１次の流路および第２次の流路に遊技球を流下不能とする非作動状態を有し、所定の作動条件の成立に基づいて、非作動状態から作動状態となる作動部材とを備えることを特徴とする。
【手続補正書】
【提出日】令和3年11月15日(2021.11.15)
【手続補正１】
【補正対象書類名】特許請求の範囲
【補正対象項目名】請求項１
【補正方法】変更
【補正の内容】
【請求項１】
遊技履歴情報を表示可能な所定の表示手段を備え、
前記所定の表示手段は、複数の表示部を有し、
所定のエラー状態となる場合を有し、
特定のエラー状態となる場合を有し、
前記所定のエラー状態であっても、前記所定の表示手段に遊技履歴情報を表示可能とし、
前記所定の表示手段の特定の表示部に第１情報が表示されているときに前記特定のエラー状態となった場合には、前記所定の表示手段の特定の表示部に第１情報が表示されたままとなり、
前記所定のエラー状態は、リセットスイッチの操作により解除可能であり、
前記特定のエラー状態は、リセットスイッチの操作により解除できない
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
請求項１の発明（第４１実施形態）は、
遊技履歴情報（指示込役物比率、連続役物比率、役物比率等）を表示可能な所定の表示手段（役比モニタ、比率表示器、又は管理情報表示ＬＥＤ７４）を備え、
前記所定の表示手段は、複数の表示部（デジット６〜デジット９）を有し、
所定のエラー状態（「ＨＰ」エラー等の復帰可能エラー状態）となる場合を有し、
特定のエラー状態（たとえば、図３５９中、ステップＳ４５８で「Ｎｏ」又はステップＳ４６０で「Ｙｅｓ」となったことによる復帰不可能エラー状態）となる場合を有し、
前記所定のエラー状態であっても、前記所定の表示手段に遊技履歴情報を表示可能とし（復帰可能エラー状態となった場合であっても、図３５９の割込み処理を実行し、割込み処理においてステップＳ２２２１の比率表示準備を実行可能とし）、
前記所定の表示手段の特定の表示部に第１情報が表示されているとき（たとえば、デジット９に「５」が表示されているとき）に前記特定のエラー状態となった場合には、前記所定の表示手段の特定の表示部に第１情報が表示されたままとなり（図３６３中、ステップＳ１４９４の処理を実行しないようにし）、
前記所定のエラー状態は、リセットスイッチ（１５３）の操作により解除可能であり（復帰可能エラー状態となった場合であっても、図３５９の割込み処理を実行し、図３５９のステップＳ４５７においてリセットスイッチの操作を検知し）、
前記特定のエラー状態は、リセットスイッチの操作により解除できない（復帰不可能エラー状態となったときは、図３６３に示すように、リセットスイッチの操作を検知しない（図３５９のステップＳ４５７に相当する処理を実行しない））
ことを特徴とする。
【手続補正書】
【提出日】令和3年11月15日(2021.11.15)
【手続補正１】
【補正対象書類名】特許請求の範囲
【補正対象項目名】請求項１
【補正方法】変更
【補正の内容】
【請求項１】
遊技履歴情報を表示可能な所定の表示手段を備え、
所定のエラー状態となる場合を有し、
特定のエラー状態となる場合を有し、
前記所定のエラー状態であっても、前記所定の表示手段に遊技履歴情報を表示可能とし、
前記特定のエラー状態では、前記所定の表示手段に遊技履歴情報が表示されず、
前記所定のエラー状態は、リセットスイッチの操作により解除可能であり、
前記特定のエラー状態は、リセットスイッチの操作により解除できない
ことを特徴とする遊技機。
【手続補正２】
【補正対象書類名】明細書
【補正対象項目名】０００５
【補正方法】変更
【補正の内容】
【０００５】
本発明は、以下の解決手段によって上述の課題を解決する（かっこ書きで、対応する実施形態の構成を示す。）。
請求項１の発明（第４１実施形態）は、
遊技履歴情報（指示込役物比率、連続役物比率、役物比率等）を表示可能な所定の表示手段（役比モニタ、比率表示器、又は管理情報表示ＬＥＤ７４）を備え、
所定のエラー状態（復帰可能エラー状態）となる場合を有し、
特定のエラー状態（復帰不可能エラー状態）となる場合を有し、
前記所定のエラー状態であっても、前記所定の表示手段に遊技履歴情報を表示可能とし、
前記特定のエラー状態では、前記所定の表示手段に遊技履歴情報が表示されず（たとえば特定態様を表示するか又は消灯し）、
前記所定のエラー状態は、リセットスイッチ（１５３）の操作により解除可能であり、
前記特定のエラー状態は、リセットスイッチの操作により解除できない
ことを特徴とする。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
外枠と、該外枠に開閉可能とされる本体枠と、該本体枠に開閉可能とされる扉枠と、所定の動作態様で駆動する可動装飾体と、を有する枠構成部と、
該枠構成部に設けられて第１遊技構成部と第２遊技構成部とを有する遊技構成部と、
前記第１遊技構成部と前記第２遊技構成部との整合を判別する整合判別手段と、
前記第２遊技構成部に設けられる複数の発光体と、を備え、
前記整合判別手段によって不整合と判別された場合に、前記第２遊技構成部に設けられる前記複数の発光体の発光を規制するものであって、
前記枠構成部に設けられる前記可動装飾体は、前記整合判別手段による判別の対象とされていないものの、前記第１遊技構成部と前記第２遊技構成部とが不整合であると判別した場合には駆動が規制される
ことを特徴とする遊技機。
【手続補正２】
【補正対象書類名】明細書
【補正対象項目名】０００７
【補正方法】変更
【補正の内容】
【０００７】
請求項１に係る発明によれば、
外枠と、該外枠に開閉可能とされる本体枠と、該本体枠に開閉可能とされる扉枠と、所定の動作態様で駆動する可動装飾体と、を有する枠構成部と、
該枠構成部に設けられて第１遊技構成部と第２遊技構成部とを有する遊技構成部と、
前記第１遊技構成部と前記第２遊技構成部との整合を判別する整合判別手段と、
前記第２遊技構成部に設けられる複数の発光体と、を備え、
前記整合判別手段によって不整合と判別された場合に、前記第２遊技構成部に設けられる前記複数の発光体の発光を規制するものであって、
前記枠構成部に設けられる前記可動装飾体は、前記整合判別手段による判別の対象とされていないものの、前記第１遊技構成部と前記第２遊技構成部とが不整合であると判別した場合には駆動が規制される
ことを特徴とする遊技機。
【手続補正３】
【補正対象書類名】明細書
【補正対象項目名】０００８
【補正方法】変更
【補正の内容】
【０００８】
このように、本発明の遊技機によれば、第１遊技構成部と第２遊技構成部とが不整合である場合には、整合判別手段による判別の対象とされていない枠構成部に設けられる可動装飾体の駆動が規制されるようになっている。これにより、第１遊技構成部と第２遊技構成部とが不整合となったことを判別することができるようになり、第１遊技構成部と第２遊技構成部とが不整合の状態で不完全な演出が実行されることを抑止できる。したがって、遊技興趣の低下を抑制することができる（例えば、段落［３４１４］〜段落［３４１９］を参照）。
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
外枠と、該外枠に開閉可能とされる本体枠と、該本体枠に開閉可能とされる扉枠とを有する枠構成部と、
該枠構成部に設けられて第１遊技構成部と第２遊技構成部とを有する遊技構成部と、
前記第１遊技構成部と第２遊技構成部との整合を判別する整合判別手段と、
抽選条件の成立に基づいて抽選処理を実行する抽選手段と、
該抽選手段の抽選結果を表示する複数の表示部と、を備え、
前記整合判別手段によって不整合と判別された場合に、前記複数の表示部のうち一部の表示部における前記抽選結果の表示を規制する
ことを特徴とする遊技機。
【手続補正２】
【補正対象書類名】明細書
【補正対象項目名】０００７
【補正方法】変更
【補正の内容】
【０００７】
請求項１に係る発明によれば、
外枠と、該外枠に開閉可能とされる本体枠と、該本体枠に開閉可能とされる扉枠とを有する枠構成部と、
該枠構成部に設けられて第１遊技構成部と第２遊技構成部とを有する遊技構成部と、
前記第１遊技構成部と第２遊技構成部との整合を判別する整合判別手段と、
抽選条件の成立に基づいて抽選処理を実行する抽選手段と、
該抽選手段の抽選結果を表示する複数の表示部と、を備え、
前記整合判別手段によって不整合と判別された場合に、前記複数の表示部のうち一部の表示部における前記抽選結果の表示を規制する
ことを特徴とする遊技機。
【手続補正３】
【補正対象書類名】明細書
【補正対象項目名】０００８
【補正方法】変更
【補正の内容】
【０００８】
このように、本発明の遊技機によれば、第１遊技構成部と第２遊技構成部とが不整合である場合には、抽選手段の抽選結果を表示する複数の表示部のうち一部の表示部が規制されるようになっている。これにより、第１遊技構成部と第２遊技構成部とが不整合となったことを判別することができるようになり、第１遊技構成部と第２遊技構成部とが不整合の状態で不完全な演出が実行されることを抑止できる。したがって、遊技興趣の低下を抑制することができる（例えば、段落［３３９１］〜段落［３３９３］を参照）。
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
太陽電池モジュール用の封止材シートであって、
ポリエチレン系樹脂を含有するコア層と、
前記封止材シートの最表面に形成され、ポリエチレン系樹脂とシラン変性ポリエチレン系樹脂を含有するスキン層と、を有し、
前記コア層の密度が、前記スキン層の密度より大きく、
前記封止材シートは、ＪＩＳ  Ｋ７１９７に準拠して測定した線膨張係数を、樹脂温度の関数として表した場合に、第１の変曲点温度と第２の変曲点温度とを有し、
前記第１の変曲点温度は、５５℃以上７０℃以下の範囲内にあり、前記第１の変曲点温度の前後で前記封止材シートの線膨張係数の変化率が増大しており、
前記第２の変曲点温度は、８０℃以上９５℃以下の範囲内にあり、前記第２の変曲点温度の前後で前記封止材シートの線膨張係数の変化率が増大している、
封止材シート。
【請求項２】
太陽電池モジュール用の封止材シートであって、
ポリエチレン系樹脂を含有するコア層と、
ポリエチレン系樹脂と、シラン変性ポリエチレン系樹脂を含有するスキン層と、を有し、
前記封止材シートは、融点が６０℃以上７０℃未満の低融点樹脂成分と、融点が９５℃以上１１０℃以下の高融点樹脂成分と、前記低融点樹脂成分の融点よりも２０℃以上高く、前記高融点樹脂成分の融点よりも１０℃以上低い融点を有する中間融点樹脂成分とを含有し、
前記封止材シートの全樹脂成分中における前記低融点樹脂成分の含有量は、２５質量％以上７０質量％以下であり、
前記封止材シートの全樹脂成分中における前記高融点樹脂成分の含有量は、２５質量％以上７０質量％以下であり、
前記封止材シートの全樹脂成分中における前記中間融点樹脂成分の含有量は、５質量％以上１５質量％以下である、
封止材シート。
【請求項３】
前記コア層の厚さが、２００μｍ以上４００μｍ以下であり、
前記スキン層の厚さが、３０μｍ以上１００μｍ以下である、請求項１又は２に記載の封止材シート。
【請求項４】
請求項１から３の何れかに記載の封止材シートを用いた太陽電池モジュールであって、
透明前面基板、太陽電池素子、封止材シート、裏面保護基板がこの順で積層されており、
前記太陽電池素子と前記封止材シートとの間にリード線が配置されており、
前記封止材シートに対する厚さに対する前記リード線の厚さが９０％以下である、
太陽電池モジュール。
【請求項５】
請求項１に記載の封止材シートを含むモジュール構成部材を真空吸引により積層した後に、これを加熱圧着する真空加熱ラミネート方法によるものであり、
前記真空吸引後、加熱圧着を開始する時の前記封止材シートの樹脂温度が、前記第１の変曲点温度以上であり、前記加熱圧着を前記第２の変曲点温度以上で行う、
太陽電池モジュールの製造方法。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
サービングセルに対する物理下りリンク共用チャネル（ＰＤＳＣＨ）のスケジューリングに用いられる下りリンク制御情報（ＤＣＩ）フォーマットを伴う物理下りリンク制御チャネルを受信する受信部と、
前記サービングセルに対するそれぞれのハイブリッド自動再送要求（ＨＡＲＱ）プロセスのＨＡＲＱ応答情報（ＨＡＲＱ−ＡＣＫ情報）ビットを含むｏｎｅ−ｓｈｏｔ  ＨＡＲＱ−ＡＣＫ情報を、周波数領域リソース割り当てフィールドにおけるすべてのビットが１にセットされることに少なくとも基づいて送信する送信部と、
を備え、
前記ＤＣＩフォーマットにおける前記周波数領域リソース割り当てフィールドは、前記ＰＤＳＣＨに対する周波数領域リソースを指示するために用いられる、
端末装置。
【請求項２】
前記周波数領域リソース割り当てフィールドにおけるすべてのビットが1にセットされる場合、前記ＰＤＳＣＨは前記ＤＣＩフォーマットによってスケジュールされない、
請求項1に記載の端末装置。
【請求項３】
サービングセルに対する物理下りリンク共用チャネル（ＰＤＳＣＨ）のスケジューリングに用いられる下りリンク制御情報（ＤＣＩ）フォーマットを伴う物理下りリンク制御チャネルを送信する送信部と、
前記サービングセルに対するそれぞれのハイブリッド自動再送要求（ＨＡＲＱ）プロセスのＨＡＲＱ応答情報（ＨＡＲＱ−ＡＣＫ情報）ビットを含むｏｎｅ−ｓｈｏｔ  ＨＡＲＱ−ＡＣＫ情報を、周波数領域リソース割り当てフィールドにおけるすべてのビットが１にセットされることに少なくとも基づいて受信する受信部と、
を備え、
前記ＤＣＩフォーマットにおける前記周波数領域リソース割り当てフィールドは、前記ＰＤＳＣＨに対する周波数領域リソースを指示するために用いられる、
基地局装置。
【請求項４】
前記周波数領域リソース割り当てフィールドにおけるすべてのビットが1にセットされる場合、前記ＰＤＳＣＨは前記ＤＣＩフォーマットによってスケジュールされない、
請求項３に記載の基地局装置。
【請求項５】
端末装置に用いられる通信方法であって、前記端末装置のコンピュータが、
サービングセルに対する物理下りリンク共用チャネル（ＰＤＳＣＨ）のスケジューリングに用いられる下りリンク制御情報（ＤＣＩ）フォーマットを伴う物理下りリンク制御チャネルを受信する受信過程と、
前記サービングセルに対するそれぞれのハイブリッド自動再送要求（ＨＡＲＱ）プロセスのＨＡＲＱ応答情報（ＨＡＲＱ−ＡＣＫ情報）ビットを含むｏｎｅ−ｓｈｏｔ  ＨＡＲＱ−ＡＣＫ情報を、周波数領域リソース割り当てフィールドにおけるすべてのビットが１にセットされることに少なくとも基づいて送信する送信過程と、
を有し、
前記ＤＣＩフォーマットにおける前記周波数領域リソース割り当てフィールドは、前記ＰＤＳＣＨに対する周波数領域リソースを指示するために用いられる、
通信方法。
【請求項６】
前記周波数領域リソース割り当てフィールドにおけるすべてのビットが1にセットされる場合、前記ＰＤＳＣＨは前記ＤＣＩフォーマットによってスケジュールされない、
請求項５に記載の通信方法。
【請求項７】
基地局装置に用いられる通信方法であって、前記基地局装置のコンピュータが、
サービングセルに対する物理下りリンク共用チャネル（ＰＤＳＣＨ）のスケジューリングに用いられる下りリンク制御情報（ＤＣＩ）フォーマットを伴う物理下りリンク制御チャネルを送信する送信過程と、
前記サービングセルに対するそれぞれのハイブリッド自動再送要求（ＨＡＲＱ）プロセスのＨＡＲＱ応答情報（ＨＡＲＱ−ＡＣＫ情報）ビットを含むｏｎｅ−ｓｈｏｔ  ＨＡＲＱ−ＡＣＫ情報を、周波数領域リソース割り当てフィールドにおけるすべてのビットが１にセットされることに少なくとも基づいて受信する受信過程と、
を有し、
前記ＤＣＩフォーマットにおける前記周波数領域リソース割り当てフィールドは、前記ＰＤＳＣＨに対する周波数領域リソースを指示するために用いられる、
通信方法。
【請求項８】
前記周波数領域リソース割り当てフィールドにおけるすべてのビットが1にセットされる場合、前記ＰＤＳＣＨは前記ＤＣＩフォーマットによってスケジュールされない、
請求項７に記載の通信方法。
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
外部電源（２００）から供給された外部電力の電力変換を行うことで供給電力を生成し、前記供給電力を電動車両に搭載された電池（３０）と車載機器（４０）それぞれへ供給する車載充電器（２０）の駆動を制御する制御部（６０）を備える充電制御装置であって、
前記制御部は、前記供給電力と前記電池に入力される入力電力に差がある場合、前記供給電力の電力量が増大するように前記車載充電器の駆動を制御し、
前記制御部は、前記供給電力と前記入力電力に依存する物理量を検出する物理量センサ（５０）の入力に基づいて前記供給電力と前記入力電力に差があるか否かを判断しており、
前記制御部は、前記供給電力と前記入力電力の差が前記物理量センサの測定誤差に基づく下限閾値以上の場合、前記供給電力の電力量が増大するように前記車載充電器の駆動を制御する充電制御装置。
【請求項２】
前記制御部は、前記供給電力と前記入力電力の差が前記車載機器の最大消費電力に基づく上限閾値以下の場合、前記供給電力の電力量が増大するように前記車載充電器の駆動を制御する請求項１に記載の充電制御装置。
【請求項３】
外部電源（２００）から供給された外部電力の電力変換を行うことで供給電力を生成し、前記供給電力を電動車両に搭載された電池（３０）と車載機器（４０）それぞれへ供給する車載充電器（２０）の駆動を制御する制御部（６０）を備える充電制御装置であって、
前記制御部は、前記供給電力と前記電池に入力される入力電力に差がある場合、前記供給電力の電力量が増大するように前記車載充電器の駆動を制御し、
前記制御部は、前記供給電力と前記入力電力の差が前記車載機器の最大消費電力に基づく上限閾値以下の場合、前記供給電力の電力量が増大するように前記車載充電器の駆動を制御する充電制御装置。
【請求項４】
前記制御部は、前記供給電力と前記入力電力の差の時間変化が増加の場合に前記供給電力の電力量の増大が増加補正されるように前記車載充電器の駆動を制御し、前記供給電力と前記入力電力の差の時間変化が減少の場合に前記供給電力の電力量の増大が減少補正されるように前記車載充電器の駆動を制御する請求項１〜３いずれか１項に記載の充電制御装置。
【手続補正２】
【補正対象書類名】明細書
【補正対象項目名】０００６
【補正方法】変更
【補正の内容】
【０００６】
開示の１つは、外部電源（２００）から供給された外部電力の電力変換を行うことで供給電力を生成し、供給電力を電動車両に搭載された電池（３０）と車載機器（４０）それぞれへ供給する車載充電器（２０）の駆動を制御する制御部（６０）を備える充電制御装置であって、
制御部は、供給電力と電池に入力される入力電力に差がある場合、供給電力の電力量が増大するように車載充電器の駆動を制御し、
制御部は、供給電力と入力電力に依存する物理量を検出する物理量センサ（５０）の入力に基づいて供給電力と入力電力に差があるか否かを判断しており、
制御部は、供給電力と入力電力の差が物理量センサの測定誤差に基づく下限閾値以上の場合、供給電力の電力量が増大するように車載充電器の駆動を制御する。
開示の１つは、外部電源（２００）から供給された外部電力の電力変換を行うことで供給電力を生成し、供給電力を電動車両に搭載された電池（３０）と車載機器（４０）それぞれへ供給する車載充電器（２０）の駆動を制御する制御部（６０）を備える充電制御装置であって、
制御部は、供給電力と電池に入力される入力電力に差がある場合、供給電力の電力量が増大するように車載充電器の駆動を制御し、
制御部は、供給電力と入力電力の差が車載機器の最大消費電力に基づく上限閾値以下の場合、供給電力の電力量が増大するように車載充電器の駆動を制御する。
【手続補正書】
【提出日】令和3年11月10日(2021.11.10)
【手続補正１】
【補正対象書類名】明細書
【補正対象項目名】００４０
【補正方法】変更
【補正の内容】
【００４０】
テープＴがここで説明される巻き方で巻かれた部分は、その巻き方によって巻かれた巻部ととらえることができる。例えば、螺旋巻部はテープＴが螺旋巻きで巻かれた部分である。また例えば、一定位置巻部はテープＴが一定位置巻きで巻かれた部分である。
【手続補正２】
【補正対象書類名】明細書
【補正対象項目名】００６１
【補正方法】変更
【補正の内容】
【００６１】
＜テープ巻部２０の第５の例＞
図６はテープ巻部２０の第５の例を示す縦断面図である。図７はテープ巻部２０の第５の例を示す背面図である。第５の例にかかるテープ巻部５２０は、電線１２の周囲に隙間（スペース）Ｓが形成されるようにテープＴが巻かれた部分を有している。隙間Ｓは、電線１２の外面とテープ巻部５２０の内面との間に生じる。
【手続補正３】
【補正対象書類名】明細書
【補正対象項目名】００７３
【補正方法】変更
【補正の内容】
【００７３】
またオーバーラップ巻部５２４のラップ代は、テープＴの剛性に鑑みて設定されていてもよい。すなわち、テープＴの剛性が高い場合と低い場合とにおいて、ラップ代が同じ場合、テープＴの剛性が高いと、浮部において第２部分の支持力が大きくなり、浮部が浮いた状態に維持されやすい。一方、テープＴの剛性が低いと、浮部において第２部分の支持力が小さくなり、浮部が浮いた状態に維持されにくい。ラップ代が大きくなると、その分、浮部において第２部分の支持力が大きくなり、浮部が浮いた状態に維持されやすい。
【手続補正４】
【補正対象書類名】明細書
【補正対象項目名】００９３
【補正方法】変更
【補正の内容】
【００９３】
車両固定部材５０は、ワイヤーハーネス１０を車両に固定するための部材である。図１に示す例では、車両固定部材５０としてテープクリップ５０が採用されている。テープクリップ５０は、係止部５２と、板状部５４とを有する。テープクリップ５０は、例えば樹脂成形品である。係止部５２はパネルなどに形成された貫通孔に挿入係止可能に形成されている。板状部５４は、一方に長い平板状に形成されている。板状部５４における長尺方向が電線１２の長手方向に沿った状態で、板状部５４と電線１２との周囲に粘着テープ、結束バンドなどの結束部材５６が巻かれることによって、板状部５４が電線１２に固定される。なお図１に示す例では、板状部５４における中央付近に係止部５２が設けられ、係止部５２に対して両側に結束部材５６が巻かれている。もっとも板状部５４における一端部付近に係止部５２が設けられ、係止部５２の一方側のみに結束部材５６が巻かれていてもよい。
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
光電変換された電荷を転送する転送トランジスタと、第１配線により前記転送トランジスタのドレイン部に接続されるソース部を有する第１のトランジスタとを有する複数の画素ブロックと、
複数の前記画素ブロックのうち第１画素ブロックが有する前記第１のトランジスタのドレイン部と、複数の前記画素ブロックのうち、列方向において前記第１画素ブロックの隣りに並んで配置される第２画素ブロックが有する前記第１のトランジスタのドレイン部とを接続する接続部と、
を備える撮像素子。
【請求項２】
請求項１に記載の撮像素子において、
前記画素ブロックは、前記転送トランジスタのドレイン部と、所定電圧が供給される供給部とを接続するリセットスイッチを有し、
前記リセットスイッチは、前記第１配線により前記転送トランジスタのドレイン部に接続される撮像素子。
【請求項３】
請求項２に記載の撮像素子において、
前記リセットスイッチは、前記第１のトランジスタのソース部と前記供給部とを接続する撮像素子。
【請求項４】
請求項１から請求項３のいずれか一項に記載の撮像素子において、
前記画素ブロックは、光を電荷に変換する複数の光電変換部を有し、
前記転送トランジスタのドレイン部は、複数の前記光電変換部でそれぞれ変換された電荷が転送される撮像素子。
【請求項５】
請求項４に記載の撮像素子において、
複数の前記光電変換部は、前記列方向において並んで配置される撮像素子。
【請求項６】
請求項４に記載の撮像素子において、
前記画素ブロックは、光を電荷に変換する３つ以上の光電変換部を有し、
前記転送トランジスタのドレイン部は、３つ以上の前記光電変換部でそれぞれ変換された電荷が転送される撮像素子。
【請求項７】
請求項６に記載の撮像素子において、
３つ以上の前記光電変換部は、前記列方向において並んで配置される撮像素子。
【請求項８】
請求項１から請求項７のいずれか一項に記載の撮像素子において、
前記画素ブロックは、前記転送トランジスタのドレイン部に接続されるゲート部を含む増幅トランジスタを有する撮像素子。
【請求項９】
請求項８に記載の撮像素子において、
前記増幅トランジスタのゲート部は、前記第１配線により前記転送トランジスタのドレイン部に接続される撮像素子。
【請求項１０】
請求項１から請求項９のいずれか一項に記載の撮像素子において、
前記接続部は、前記第１画素ブロックが有する前記第１のトランジスタのドレイン部と、前記第２画素ブロックが有する前記第１のトランジスタのドレイン部とを接続するための第２配線を有する撮像素子。
【請求項１１】
請求項１から請求項１０のいずれか一項に記載の撮像素子において、
前記接続部は、前記第１画素ブロックが有する前記第１のトランジスタのドレイン部と、前記第２画素ブロックが有する前記第１のトランジスタのドレイン部とを接続するための第２のトランジスタを有する撮像素子。
【請求項１２】
請求項１から請求項１１のいずれか一項に記載の撮像素子において、
前記接続部は、前記第１画素ブロックが有する前記第１のトランジスタのドレイン部と、前記第２画素ブロックが有する前記第１のトランジスタのドレイン部と、複数の画素ブロックのうち、前記列方向において前記第２画素ブロックの隣りに並んで配置される第３画素ブロックが有する前記第１のトランジスタのドレイン部とを接続する撮像素子。
【請求項１３】
請求項１から請求項１２のいずれか一項に記載の撮像素子を備える撮像装置。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
符号化信号を復号する復号装置であって、
プロセッサと、
メモリと、を備え、
前記プロセッサは、
前記メモリから読み出した前記符号化信号を、分割タイプを定義したブロック分割モードを一つ又は複数組み合わせたブロック分割モードセットを用いて複数のブロックに分割するブロック分割決定部と、
前記複数のブロックを復号する復号部と、
を有し、
前記ブロック分割モードセットは、第１ブロックを分割するための分割方向と分割数を定義した第１のブロック分割モードと、前記第１ブロックの分割後に得られたブロックの一つである第２ブロックを分割するための分割方向と分割数を定義した第２のブロック分割モードと、からなり、
前記ブロック分割決定部は、前記第１のブロック分割モードの前記分割数が３であり、前記第２ブロックが、前記第１ブロックの分割後に得られたブロックのうちの中央のブロックであり、かつ、前記第２のブロック分割モードの前記分割方向が、前記第１のブロック分割モードの前記分割方向と同じである場合、前記第２のブロック分割モードを識別するためのパラメータは、前記ブロックを水平方向または垂直方向の何れに分割するかを示す第１のフラグを含み、前記ブロックを分割する分割数を示す第２のフラグを含まない、
復号装置。
【請求項２】
メモリから読み出した符号化信号を、分割タイプを定義したブロック分割モードを一つ又は複数組み合わせたブロック分割モードセットを用いて複数のブロックに分割し、
前記複数のブロックを復号し、
前記ブロック分割モードセットは、第１ブロックを分割するための分割方向と分割数を定義した第１のブロック分割モードと、前記第１ブロックの分割後に得られたブロックの一つである第２ブロックを分割するための分割方向と分割数を定義した第２のブロック分割モードと、からなり、
前記分割では、前記第１のブロック分割モードの前記分割数が３であり、前記第２ブロックが、前記第１ブロックの分割後に得られたブロックのうちの中央のブロックであり、かつ、前記第２のブロック分割モードの前記分割方向が、前記第１のブロック分割モードの前記分割方向と同じである場合、前記第２のブロック分割モードを識別するためのパラメータは、前記ブロックを水平方向または垂直方向の何れに分割するかを示す第１のフラグを含み、前記ブロックを分割する分割数を示す第２のフラグを含まない、
復号方法。
【請求項３】
メモリから読み出したピクチャを、分割タイプを定義したブロック分割モードを一つ又は複数組み合わせたブロック分割モードセットを用いて複数のブロックに分割し、
前記複数のブロックを復号し、
前記ブロック分割モードセットは、第１ブロックを分割するための分割方向と分割数を定義した第１のブロック分割モードと、前記第１ブロックの分割後に得られたブロックの一つである第２ブロックを分割するための分割方向と分割数を定義した第２のブロック分割モードと、からなり、
前記分割では、前記第１のブロック分割モードの前記分割数が３であり、前記第２ブロックが、前記第１ブロックの分割後に得られたブロックのうちの中央のブロックであり、かつ、前記第２のブロック分割モードの前記分割方向が、前記第１のブロック分割モードの前記分割方向と同じである場合、前記第２のブロック分割モードを識別するためのパラメータは、前記ブロックを水平方向または垂直方向の何れに分割するかを示す第１のフラグを含み、前記ブロックを分割する分割数を示す第２のフラグを含まない、
プログラム。
【手続補正２】
【補正対象書類名】明細書
【補正対象項目名】発明の名称
【補正方法】変更
【補正の内容】
【発明の名称】復号装置、復号方法及びプログラム
【手続補正３】
【補正対象書類名】明細書
【補正対象項目名】０００６
【補正方法】削除
【補正の内容】
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて、遊技者に有利な特別遊技の実行の可否を設定値に応じた確率で決定する決定手段と、
前記特別遊技の実行が決定された場合に、当該特別遊技を実行する特別遊技実行手段と、
前記設定値を設定可能な設定手段と、を備え、
前記特別遊技の実行中に、前記設定手段により設定された設定値に関する示唆を行う設定示唆演出を実行可能であり、
前記設定示唆演出は、前記設定値に応じたタイミングで実行され得ることを特徴とする遊技機。
【請求項２】
前記確率が異なるように定められた複数の前記設定値が設けられており、
前記設定示唆演出は、
前記確率が相対的に低い設定値が設定されている場合よりも当該確率が相対的に高い設定値が設定されている場合の方が早いタイミングで実行され得ることを特徴とする請求項１記載の遊技機。
【手続補正２】
【補正対象書類名】明細書
【補正対象項目名】０００６
【補正方法】変更
【補正の内容】
【０００６】
上述した目的を達成するために、本発明は次のように構成されている。
（１）本発明に係る遊技機は、所定の始動条件の成立に基づいて、遊技者に有利な特別遊技の実行の可否を設定値に応じた確率で決定する決定手段と、前記特別遊技の実行が決定された場合に、当該特別遊技を実行する特別遊技実行手段と、前記設定値を設定可能な設定手段と、を備え、前記特別遊技の実行中に、前記設定手段により設定された設定値に関する示唆を行う設定示唆演出を実行可能であり、前記設定示唆演出は、前記設定値に応じたタイミングで実行され得ることを特徴とする。
【手続補正３】
【補正対象書類名】明細書
【補正対象項目名】０００８
【補正方法】変更
【補正の内容】
【０００８】
本発明に係る遊技機においては、設定値に応じて特別遊技の実行の決定割合が異なることから、設定値に応じて特別遊技の実行頻度が異なるようになっているとともに、特別遊技の実行中に、設定値に関する示唆を行う設定示唆演出を実行可能であり、この設定示唆演出は、設定値に応じたタイミングで実行され得るようになっている。これにより、設定値に関する演出の実行に対する遊技者の興趣を高めることができる。
【手続補正４】
【補正対象書類名】明細書
【補正対象項目名】０００９
【補正方法】変更
【補正の内容】
【０００９】
（２）また、本発明に係る遊技機は、前記確率が異なるように定められた複数の前記設定値が設けられており、前記設定示唆演出が、前記確率が相対的に低い設定値が設定されている場合よりも当該確率が相対的に高い設定値が設定されている場合の方が早いタイミングで実行され得るようにしてもよい。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
装着者の首に掛けられる首掛部と、該首掛部に取り付けられ且つ芳香成分を保持した芳香保持部とを具備する芳香具であって、
前記芳香保持部は、芳香成分を外部に放出する単一又は複数の開口を有しており、該開口からの芳香成分の単位時間当たりの揮発量が０．０００００１ｍｇ／秒以上０．０６ｍｇ／秒以下であり、
前記装着者の鼻の下端を基点とし下方に向かって断面積が漸次増大する鼻息が直接的にかかる鼻息噴射領域の左右に位置する側部領域又は該鼻息噴射領域より身体側に位置する身体近接領域に、該芳香保持部が配置される、芳香具。
【請求項２】
前記芳香保持部が、前記首掛部の両端部に一対設けられている、請求項１に記載の芳香具。
【請求項３】
前記首掛部はＵ字状の棒状部材からなり、該首掛部の両端部に一対の接続部を備えており、
前記芳香保持部は、前記接続部を介して前記首掛部に取り外し可能に取り付けられている、請求項２に記載の芳香具。
【請求項４】
前記開口と前記装着者の身体表面との離間距離が５ｍｍ以上１２０ｍｍ以内である、請求項１〜３の何れか１項に記載の芳香具。
【請求項５】
前記芳香保持部は、前記首掛部において前記装着者の首の両側部に配される部分どうしを結んで形成される平面状の面に対して角度を有した状態で配されている、請求項１〜４の何れか１項に記載の芳香具。
【請求項６】
前記芳香保持部は、前記平面状の面に対する傾斜角度が３０°以上１００°以下である、請求項５に記載の芳香具。
【請求項７】
前記芳香保持部は、芳香成分を保持した保持体を収容可能な収容部を有しており、
前記収容部における総開口面積が１ｍｍ２以上６００ｃｍ２以下であり、且つ前記収容部の表面積に対する前記総開口面積の比率が０．０１％以上８０％以下である、請求項１〜６の何れか１項に記載の芳香具。
【請求項８】
前記収容部は、前記開口を介した前記保持体への接触が不能に構成されている、請求項７に記載の芳香具。
【請求項９】
身体に装着し、芳香を装着者に提供する芳香の提供方法に用いられる芳香具であって、
前記芳香具は、芳香成分を保持した保持体を収容可能な収容部を有する芳香保持部を具備しており、
前記芳香具を身体に装着したときに、身体からの熱により生じた上昇気流が流れる身体の前側空間領域のうち、鼻の下端を基点とし下方に向かって断面積が漸次増大する鼻息が直接的にかかる鼻息噴射領域に、前記芳香保持部が配されない一方、該鼻息噴射領域の左右に位置する側部領域又は該鼻息噴射領域より身体側に位置する身体近接領域に前記芳香保持部が配置され、
前記芳香保持部から放出される芳香成分の単位時間当たりの揮発量が０．１ｍｇ／秒未満であり、
前記上昇気流及び前記鼻息により生じる対流に乗せて、前記芳香保持部から生じる芳香を前記鼻に供給可能に構成されている、芳香具。
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技の進行に伴って実行される遊技演出に関連して発光可能な発光体と、
該発光体が実装される発光基板と、
遊技者による操作が可能な操作部を有する特別操作手段と、を備え、
前記発光基板は、白色塗膜が形成されると共に、該白色塗膜上に黄色で形成されて前記発光体を特定可能にする表記部が形成され、
前記発光基板の表実装面の前方には、前記発光体および前記表記部を直視困難とする特定透光部が設けられ、
前記特別操作手段の前記操作部が操作された場合には前記発光体のうちの特定発光体を特定態様で発光させる、
ことを特徴とする遊技機。
【手続補正２】
【補正対象書類名】明細書
【補正対象項目名】０００２
【補正方法】変更
【補正の内容】
【０００２】
従来、表示装置で変動演出を実行するパチンコ機などの遊技機では、変動演出で行われる変動演出に関連して発光制御される複数の発光手段を備えている（例えば、特許文献１）。これら複数の発光手段は、様々な態様で発光制御され、変動演出を盛り上げたり、様々な情報を通知したり、するようになっている。
【手続補正３】
【補正対象書類名】明細書
【補正対象項目名】０００３
【補正方法】変更
【補正の内容】
【０００３】
【特許文献１】特開２０１８−０７９１６３号公報（段落［００２４］、及び図１）
【手続補正４】
【補正対象書類名】明細書
【補正対象項目名】０００４
【補正方法】変更
【補正の内容】
【０００４】
ところで、発光手段が実装される基板には遊技機の管理上必要な情報が印刷されている。このような情報は遊技機の管理上必要であるが、遊技には無関係なものであるため、これらが視認されることで遊技機の世界観が崩れて興ざめ、遊技興趣が低下するおそれがある。
【手続補正５】
【補正対象書類名】明細書
【補正対象項目名】０００５
【補正方法】変更
【補正の内容】
【０００５】
本発明は、このような事情に鑑みてなされたものであり、その目的とするところは、遊技興趣の低下を抑制することができる遊技機を提供することにある。
【手続補正６】
【補正対象書類名】明細書
【補正対象項目名】０００７
【補正方法】変更
【補正の内容】
【０００７】
上記した目的を達成するために、本発明においては、
所定条件の成立に基づいて抽選を行う抽選手段と、
該抽選手段による前記抽選の結果に応じて遊技の進行を制御する遊技制御手段と、
前記遊技の進行に伴って実行される遊技演出に関連して発光可能な発光体と、
該発光体が実装される発光基板と、
遊技者による操作が可能な操作部を有する特別操作手段と、を備え、
前記発光基板は、白色塗膜が形成されると共に、該白色塗膜上に黄色で形成されて前記発光体を特定可能にする表記部が形成され、
前記発光基板の表実装面の前方には、前記発光体および前記表記部を直視困難とする特定透光部が設けられ、
前記特別操作手段の前記操作部が操作された場合には前記発光体のうちの特定発光体を特定態様で発光させる、
ことを特徴とする。
【手続補正７】
【補正対象書類名】明細書
【補正対象項目名】００１６
【補正方法】変更
【補正の内容】
【００１６】
本発明の遊技機においては、遊技興趣の低下を抑制することができる。
【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
扉枠と、
該扉枠の後に位置する本体枠と、
該本体枠の上方に設けられると共に該本体枠の側方に設けられた払出装置に遊技球を供給する球タンクと、
該球タンクに連通して該球タンク内の遊技球を前記払出装置に向けて流出させるタンクレールと、
該タンクレールに開設された異物排出可能な複数の落下口と、を備えてなる遊技機において、
前記タンクレールは、
底を形成する通路底壁と、
前記扉枠に近い側を前、反対側を後としたとき、前記通路底壁の前側に設けられた樋前壁と、
前記通路底壁の後側に設けられた樋後壁と、を備えており、
前記タンクレール内に入り込んだ異物が移動し易いように前記通路底壁と前記樋前壁との隅を内アール形状の弧状部にすると共に、前記異物が移動し難いように前記通路底壁と前記樋後壁との隅を谷折り形状の角部とし、
さらに前記複数の落下口の少なくとも一部を前記通路底壁と前記樋後壁との隅である前記谷折り形状の前記角部側に配置し、
さらに、前記タンクレールは流路が屈曲した屈曲部を有しており、該屈曲部に前記落下口を設けた
ことを特徴とする遊技機。
【手続補正２】
【補正対象書類名】明細書
【補正対象項目名】０００７
【補正方法】変更
【補正の内容】
【０００７】
上記の目的を達成するため本発明は、請求項１に記載したように、
扉枠と、
該扉枠の後に位置する本体枠と、
該本体枠の上方に設けられると共に該本体枠の側方に設けられた払出装置に遊技球を供給する球タンクと、
該球タンクに連通して該球タンク内の遊技球を前記払出装置に向けて流出させるタンクレールと、
該タンクレールに開設された異物排出可能な複数の落下口と、を備えてなる遊技機において、
前記タンクレールは、
底を形成する通路底壁と、
前記扉枠に近い側を前、反対側を後としたとき、前記通路底壁の前側に設けられた樋前壁と、
前記通路底壁の後側に設けられた樋後壁と、を備えており、
前記タンクレール内に入り込んだ異物が移動し易いように前記通路底壁と前記樋前壁との隅を内アール形状の弧状部にすると共に、前記異物が移動し難いように前記通路底壁と前記樋後壁との隅を谷折り形状の角部とし、
さらに前記複数の落下口の少なくとも一部を前記通路底壁と前記樋後壁との隅である前記谷折り形状の前記角部側に配置し、
さらに、前記タンクレールは流路が屈曲した屈曲部を有しており、該屈曲部に前記落下口を設けた
ことを特徴とする。
なお、上記において「本体枠の上方に設けられた球タンク」には、球タンクが本体枠の後面の上方に取り付けられている場合と、本体枠の上面に取り付けられている場合と、その両者に跨がるように取り付けられている場合の何れもが含まれ、同様に「本体枠の側方に設けられた払出装置」には、払出装置が本体枠の後面の側方に取り付けられている場合と、本体枠の側面に取り付けられている場合と、その両者に跨がるように取り付けられている場合の何れもが含まれる。
また、球タンクと払出球通路部は、一体であっても別体であってもよい。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
扉枠と、
該扉枠の後に位置する本体枠と、
該本体枠の上方に設けられた遊技球貯留用の球タンクと、
該球タンクの遊技球を下流に導くために前記本体枠の上方に配設されたタンクレールと、を有する遊技機において、
前記本体枠は、遊技機正面側から遊技盤が装着可能とされ、前記本体枠を構成する所定の払出ベース部には前記球タンクおよび前記タンクレールが設けられ、
前記払出ベース部と前記タンクレールとの少なくとも前後方向の対向面には、上端が外部に開放された上下方向の隙間を設けてなり、
さらに、前記払出ベース部と前記タンクレールとの上下方向の対向面には、前後方向の隙間が設けられている
ことを特徴とする遊技機。
【手続補正２】
【補正対象書類名】明細書
【補正対象項目名】０００７
【補正方法】変更
【補正の内容】
【０００７】
上記の目的を達成するため本発明は、請求項１に記載したように、
扉枠と、
該扉枠の後に位置する本体枠と、
該本体枠の上方に設けられた遊技球貯留用の球タンクと、
該球タンクの遊技球を下流に導くために前記本体枠の上方に配設されたタンクレールと、を有する遊技機において、
前記本体枠は、遊技機正面側から遊技盤が装着可能とされ、前記本体枠を構成する所定の払出ベース部には前記球タンクおよび前記タンクレールが設けられ、
前記払出ベース部と前記タンクレールとの少なくとも前後方向の対向面には、上端が外部に開放された上下方向の隙間を設けてなり、
さらに、前記払出ベース部と前記タンクレールとの上下方向の対向面には、前後方向の隙間が設けられている
ことを特徴とする。
【手続補正３】
【補正対象書類名】明細書
【補正対象項目名】０００８
【補正方法】削除
【補正の内容】
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
カフと、
前記カフを加圧する加圧部と、
前記カフを減圧する減圧部と、
前記カフ内の空気の圧力であるカフ圧を検出する圧力検出部と、
制御回路で構成される制御部と、
報知部と、を有し、
前記制御部は、
前記カフが装着されている部位における被験者の脈波を検出する脈波検出部と、
検出されたカフ圧および脈波に基づいて被験者の血圧値を決定する血圧決定部と、
前記カフを通して脈波を検出可能な最小圧を決定する最小圧決定部と、
カフ圧が前記最小圧に保持された状態で被験者を瞑想状態に誘導する瞑想誘導部と、
前記血圧決定部による血圧測定および前記瞑想状態への誘導を、血圧測定、瞑想誘導および血圧測定の順に実行させる動作制御部と、を有し、
前記報知部は、前記瞑想状態への誘導の前後で測定した血圧値に関する情報を報知する、
ことを特徴とする電子血圧計。
【請求項２】
前記最小圧決定部は、前記減圧部が前記カフを減圧する過程における、カフ圧に重畳される脈波の波高値の減衰が飽和する点から脈波が消失する点までの期間内のカフ圧を、前記最小圧として決定する、請求項１に記載の電子血圧計。
【請求項３】
前記報知部は、前記血圧値の結果に関する情報として、前記瞑想誘導の前後に測定した血圧値を報知する、請求項１または２に記載の電子血圧計。
【請求項４】
前記制御部は、前記瞑想誘導の実行中に検出された脈波の変動の大小に基づいて被験者が体を動かしたか否かを判定する体動判定部をさらに有し、
前記報知部は、被験者が体を動かしたと前記体動判定部が判定した場合に、被験者に静止するように注意喚起する、請求項１〜３のいずれか一項に記載の電子血圧計。
【請求項５】
前記瞑想誘導部は、前記瞑想誘導として、被験者が息を吸いかつ吸う速度よりも遅く息を吐く深呼吸を行うための呼吸パターンを生成する、請求項１〜４のいずれか一項に記載の電子血圧計。
【請求項６】
前記瞑想誘導部は、前記瞑想誘導として、呼吸の周期よりも長いフレーズを含む音楽を再生する、請求項１〜５のいずれか一項に記載の電子血圧計。
【請求項７】
前記電子血圧計は、さらに、
前記瞑想誘導部による瞑想誘導の実行中に検出された脈波を解析して、被験者の心拍間隔の揺らぎ度を示す最大リアプノフ指数を算出する脈波解析部と、
前記最大リアプノフ指数に基づいて、被験者が脳疲労、不安もしくは抑うつを感じる負の感情にあるか、または脳疲労、不安および抑うつを感じない正の感情にあるかを判定する感情判定部と、
をさらに有する、請求項１〜６のいずれか一項に記載の電子血圧計。
【請求項８】
前記報知部は、前記瞑想誘導の終了後に、前記瞑想誘導の期間において被験者が前記正の感情にあると前記感情判定部が判定した頻度を報知する、請求項７に記載の電子血圧計。
【請求項９】
前記報知部は、前記瞑想誘導の実行中に、一定時間ごとに前記感情判定部の判定結果を報知する、請求項８に記載の電子血圧計。
【請求項１０】
電子血圧計および端末装置で構成される血圧測定システムであって、
前記電子血圧計は、
カフと、
前記カフを加圧する加圧部と、
前記カフを減圧する減圧部と、
前記カフ内の空気の圧力であるカフ圧を検出する圧力検出部と、
前記カフが装着されている部位における被験者の脈波を検出する脈波検出部と、
検出されたカフ圧および脈波に基づいて被験者の血圧値を決定する血圧決定部と、を有し、
前記端末装置は、
制御回路で構成される制御部と、
前記電子血圧計との通信部と、を有し、
前記制御部は、
前記電子血圧計が前記カフを通して脈波を検出可能な最小圧にカフ圧を保持した状態で、被験者を瞑想状態に誘導する瞑想誘導部と、
前記血圧決定部による血圧測定および前記瞑想状態への誘導を、血圧測定、瞑想誘導および血圧測定の順に実行させる動作制御部と、を有し、
前記電子血圧計および前記端末装置のいずれかが前記瞑想状態への誘導の前後で測定した血圧値に関する情報を報知する、
ことを特徴とする血圧測定システム。